(57)【特許請求の範囲】
【請求項１】
予め記憶されている個人情報から入力された個人情報を判別し、該判別された個人情報に対応する情報を映像信号に付加して記録媒体に記録する際、該記録媒体を予め複数の使用者毎にフォルダ分けし、各使用者が該記録媒体に映像情報を記録する際に、各使用者の個人情報を判別する手段を用いて、各使用者毎に配分されたフォルダ内に自動的に記録し、該記録媒体に記録されている情報を表示する際に、使用者の個人情報を判別して、記録されている複数の映像情報の中から、その使用者が記録した映像情報のみを選択して表示できるように構成することを特徴とする映像記録再生装置。
【請求項２】
個人情報を入力する個人情報入力部と、該個人情報を記憶する個人情報記憶部と、記憶された該個人情報から入力された該個人情報を判別する個人情報判別部と、映像信号を記録媒体に記録する映像記録手段と、該映像信号を表示する表示手段と、該記録媒体に記録される映像信号に該個人情報を付加して記憶する際、該記録媒体を予め複数の使用者毎にフォルダ分けし、各使用者が該記録媒体に映像情報を記憶する際に、各使用者の個人情報を判別する手段を用いて、各使用者毎に配分されたフォルダ内に自動的に記憶する手段と、該入力された個人情報に対応する映像信号のみを該表示手段に表示する手段とを備えることを特徴とする映像記録再生装置。
【請求項３】
使用者の個人情報をコード化して記憶させ、入力された個人情報を該記憶された該個人情報から判別し、記録媒体に映像情報を記録する際に、該記録媒体を予め複数の使用者毎にフォルダ分けし、各使用者が該記録媒体に映像情報を記録する際に、各使用者の個人情報を判別する手段を用いて、各使用者毎に配分されたフォルダ内に、該映像情報と該判別された個人情報を関連付けして自動的に記録し、該記録媒体に記録されている映像情報を表示する際に、使用者の個人情報を判別して、該記録媒体内の複数の映像情報の中から、その使用者が記録した映像情報のみを選択して表示できるように構成することを特徴とする映像記録再生装置。
【請求項４】
請求項３記載の映像記録再生装置において、同一の記録媒体を複数の使用者が使用する場合、その各使用者の個人情報を判別し、各使用者個人が記録した映像情報を、他の使用者が表示・改竄・消去等できないように構成することを特徴とする映像記録再生装置。
【請求項５】
請求項３記載の映像記録再生装置において、使用者の個人情報を判別するために、個人用ＩＤ（Ｉｄｅｎｔｉｆｉｃａｔｉｏｎ）コード又はパスワードを入力する手段を設けることを特徴とする映像記録再生装置。
【請求項６】
請求項３記載の映像記録再生装置において、使用者の個人情報を判別するために、指紋認識手段を設けることを特徴とする映像記録再生装置。
【請求項７】
請求項３記載の映像記録再生装置において、使用者の個人情報を判別するために、声紋認識手段を設けることを特徴とする映像記録再生装置。
【請求項８】
請求項３記載の映像記録再生装置において、使用者の個人情報を判別するために、瞳孔認識手段を設けることを特徴とする映像記録再生装置。
【請求項９】
請求項３記載の映像記録再生装置において、該記録媒体の容量を予め複数の使用者に配分し、各使用者が該記録媒体に映像情報を記録する際に、各使用者の個人情報を判別する手段を用いて、各使用者に配分された容量内に自動的に記録するように構成することを特徴とする映像記録再生装置。
【発明の詳細な説明】
【０００１】
【発明の属する技術分野】
本発明は映像を記録することができる映像記録再生装置に係り、特に使用者の個人情報を判別する機能有する映像記録再生装置に関する。
【０００２】
【従来の技術】
従来の映像を記録し、再生することができる映像記録再生装置には、磁気テープを記録媒体にしたビデオテープレコーダー（以下、ＶＴＲ）等や、半導体メモリーやハードディスクドライブ等を記録媒体にしたデジタルスチルカメラやＭＰＥＧカメラ等がある。
【０００３】
図２は従来の映像記録再生装置のブロック図である。カメラ部等の映像入力部２１より得られた映像は映像処理部２２により記録可能な映像信号に変換され映像記録部２３に送信される。映像記録部２３は、映像信号を映像表示部２７に送信しモニター映像として表示する。使用者は映像表示部２７のモニター映像を確認し、所望の映像を選択し操作キー２８を操作する。コントロール部２４は、使用者により入力された操作キー２８の信号により映像記録部２３を制御して使用者の所望する映像のみを映像記録媒体２５に記録する。再生する場合は、使用者が操作キー２８を操作することにより、コントロール部２４は映像再生部２６を制御することによって、映像記録媒体２５に記録されている映像情報を映像表示部２７にて表示再生する。
【０００４】
磁気テープを記録媒体にしたＶＴＲ等の場合、テープの巻き始めから記録を開始して、その磁気テープの予め設定されたテープの時間の範囲で連続して記録する。このため、一つの磁気テープの記録媒体に複数の使用者が映像を記録した場合、その磁気テープの巻き始めから記録内容の全てを表示再生しなければ、それぞれの使用者がその磁気テープの記録媒体の記録内容の中から自分が所望する映像を確認することができない。
【０００５】
又、静止画等を記録できるデジタルスチルカメラや、動画・静止画が記録できるＭＰＥＧカメラには、サムネール機能、すなわち、一連の画像を複数種類記録した場合、所定の場所、例えば先頭の画像を静止画として取出して表示する機能が設けられているため、記録されている動画の先頭画面や静止画のそれぞれの小画面を、一つの画面に一覧表示することができる。これにより、その記録媒体に記録されているの記録内容が容易に把握できるようになっている。しかし、一つの記録媒体を複数の使用者が共有して記録した場合、自分以外の使用者に見せたくない記録内容も表示再生されてしまう。又、自分以外の使用者が自分の記録内容を表示・改竄・消去等を行うことが容易にできてしまう。
【０００６】
【発明が解決しようとする課題】
前記した従来技術では、複数の使用者が同一の映像記録再生装置の記録媒体を共有して映像情報を記録すると、それぞれの使用者が記録した映像情報を表示・再生するには、多数の映像情報の全ての記録内容を確認し、その中からそれぞれの使用者が所望する映像情報を選択しなければならない。
又、複数の使用者が同一の記録媒体を共有するため、自分以外のの使用者に見せたくない記録内容も表示再生されてしまう。特に個人的に記録した映像で他の使用者に開示したくない映像や、暴力的な映像や性的な映像等年少者に見せたくない映像の表示再生を制限できない。又、自分の記録した記録内容を、自分以外の使用者が容易に表示・改竄・消去等を行うことができてしまう。
【０００７】
本発明の目的は、一つの記録媒体に記録された複数の映像内容の中から、本人が記録した映像内容のみを選択して表示できるようにし、他の使用者が記録した映像情報は表示できないようにする技術を提供することにある。
【０００８】
【課題を解決するための手段】
本発明では、上記課題を解決するために、映像を記録できる映像記録再生装置に、一人もしくは複数の使用者の個人情報を判別する機能と、その個人情報を映像情報に関連付けする機能と、記録媒体に記録された映像情報から使用者の個人情報を判別する機能を追加することにより達成できる。
【０００９】
以下、本発明を更に詳細に説明する。
第１の発明では、映像記録再生装置は、予め記憶されている個人情報から入力された個人情報を判別し、該判別された個人情報に対応する情報を映像信号に付加して記録する。
【００１０】
第２の発明では、映像記録再生装置は、個人情報を入力する個人情報入力部と、該個人情報を記憶する個人情報記憶部と、記憶された該個人情報から入力された該個人情報を判別する個人情報判別部と、該映像信号を記録する映像記録手段と、該映像信号を表示する表示手段とを備え、該映像記録手段に記録される映像信号に該個人情報を付加して記憶する手段と、該入力された個人情報に対応する映像信号を該表示手段に表示する。
【００１１】
第３の発明では、映像記録再生装置は、使用者の個人情報をコード化して記憶させ、入力された個人情報を該記憶された該個人情報から判別し、記録媒体に映像情報を記録する際に、該映像情報と該判別された個人情報を関連付けして記録するように構成する。
第３の発明において、該記録媒体に記録されている情報を表示する際に、使用者の個人情報を判別して、記録媒体内の複数の映像情報の中から、その使用者が記録した映像情報のみを選択して表示できるように構成する。また、同一の記録媒体を複数の使用者が使用する場合、その各使用者の個人情報を判別し、各使用者個人が記録した映像情報を、他の使用者が表示・改竄・消去等できないように構成する。
第３の発明において、使用者の個人情報を判別するために、個人用ＩＤ（Ｉｄｅｎｔｉｆｉｃａｔｉｏｎ）コード又はパスワードを入力する手段を設ける。又は、使用者の個人情報を判別するために、指紋認識手段を設けることを特徴とする映像記録再生装置。又は、使用者の個人情報を判別するために、声紋認識手段を設ける。又は、使用者の個人情報を判別するために、瞳孔認識手段を設ける。
【００１２】
第３の発明において、該記録媒体の容量を予め複数の使用者に配分し、各使用者が該記録媒体に映像情報を記録する際に、各使用者の個人情報を判別する手段を用いて、各使用者に配分された容量内に自動的に記録するように構成する。又は、該記録媒体を予め複数の使用者毎にフォルダ分けし、各使用者が該記録媒体に映像情報を記録する際に、各使用者の個人情報を判別する手段を用いて、各使用者毎に配分されたフォルダ内に自動的に記録するように構成する。
【００１３】
【発明の実施の形態】
以下、本発明の実施の形態について、実施例を用い、図を参照して説明する。図１は本発明による映像記録再生装置の一実施例を示すブロック図であり、１は映像入力部、２は映像処理部、３は映像記録部、４はコントロール部、５は映像記録媒体、６は映像再生部、７は映像表示部、８は個人情報入力部、９は個人情報判別部、１０は個人情報記憶部、１１は操作キーである。
【００１４】
映像入力部１より得られた映像は映像処理部２により記録可能な映像信号に変換された後、映像記録部３に送信される。映像記録部３の映像信号は映像表示部７に送信され、この映像表示部７でモニター映像として表示される。使用者は映像表示部７のモニター映像を確認し、所望の映像を記録するべく操作キー１１を操作する。コントロール部４は、使用者により入力された操作キー１１の操作に応じた映像を映像記録媒体５に記録する。個人情報入力部８には、その装置の一人もしくは複数の使用者の個人情報が入力される。個人情報判別部９は、個人情報入力部８より入力された個人情報と個人情報記憶部１０の記憶内容と照合し、予め記憶されている個人情報か否かを判別する。入力された個人情報が新しい個人情報の場合は、個人情報記憶部１０に新しい個人情報を設定しコントロール部４に送信する。入力された個人情報が個人情報記憶部１０に記憶されている個人情報と同じ場合は、その記憶された個人情報を判別しコントロール部４に送信する。コントロール部４は、入力された個人情報を映像記録部３に送信し映像情報に関連付けして記録する。この場合、個人情報記憶部１０で記憶されている個人情報には一連の番号を付け、個人情報入力部８から入力された個人情報と個人情報記憶部１０で記憶されている内容が個人情報判別部で一致した場合には、個人判別部９から対応する番号を出力するようにし、記録する映像情報にこの番号を記録させるようにすると好適である。
【００１５】
又、記録媒体５に記録された映像信号を表示再生する場合は、使用者が操作する操作キー１１の出力により、コントロール部４が映像再生部６を制御し、映像記録媒体５に記録されている映像情報を映像表示部７にて表示再生する。この場合、コントロール部４は、予め個人情報判別部９により判別された装置の使用者の個人情報と、映像記録媒体５に記録されている映像情報に関連付けされている個人情報とを照合する。照合の結果、映像再生部６を制御して個人情報に合致した映像情報のみを映像表示部７で表示再生するようにする。
【００１６】
このように構成することにより、映像記録媒体５に記録された映像情報の内、自分が記録した映像情報の内容のみを選択して表示再生できるようになるため、自分以外の使用者が自分の記録内容を表示・改竄・消去等を行うことが不可能になる。
【００１７】
このように、本実施例では、記録動作中においては、個人情報を個人情報入力部８に入力すると、個人情報記憶部１０に記憶されている内容（個人情報）とが個人情報判別部９で判別され、判別結果は、例えば番号や記号として、コントロール部４を通して記録中の映像信号に付加されて記憶媒体５に記憶される。また、再生する場合には、入力された個人情報と個人情報記憶部１０に記録されている内容（個人情報）とが個人情報判別部９で判別され、入力された個人情報に対応する情報がコントロール部４に入力され、記録媒体５で記録されている映像信号の内、判別された個人情報に対応する映像信号のみを選択して映像再生部７で表示することができるので、本人が記録した映像を他の人が勝手に表示することはできない。
【００１８】
また、該記録媒体５を容量別に予め複数の使用者に配分するために、個人情報判別部９からの判別情報を用いて各使用者の記録開始位置および記録終了位置を記録媒体５に記録し、各使用者が該記録媒体に映像情報を記録する際に、各使用者の個人情報を判別する手段を用いて、各使用者に配分された容量内に自動的に記録するように構成してもよい。
【００１９】
以下、装置の使用者の個人情報の入力および判別する方法の実施例について図３〜図６を用いて説明する。
図３（ａ）、図３（ｂ）は本発明による映像記録再生装置の一実施例を示す斜視図であり、図において、３１はズームレバー、３２は記録スタートストップボタン、３３はナレーションマイクであり、声紋検出部を兼用している。３４はビュウーファインダ、３５は操作キーである。この操作キー３５の各々は別の文字、数字又は記号を示すようにするか、又は、この操作キー３５を組み合わせることによって異なった文字、数字又は記号を示すようにする。この操作キー３５の組み合わせによって、個人ＩＤコード又はパスワードを作り、個人情報を入力する。個人情報記憶部に入力された個人情報が無い場合には、新たな個人情報として個人記憶部１０に記憶される。入力された個人情報が個人情報記憶部１０に記憶されている場合にはその記憶されている個人情報に対応する情報が個人情報判別部９から出力される。
【００２０】
図４は本発明による映像記録再生装置に使用されるリモコンの正面図である。図において、４１は０〜９の数字を示す数字キーであり、この数字キーを使って図３を用いて説明したのと同様に個人のＩＤコード又はパスワードの登録および判別を行うことができうる。なお、図４に示すリモコンには指紋検出部４２が設けられている。
【００２１】
上述したように、本実施例においては、個人ＩＤコードやパスワードを入力し、予め登録しておいた個人ＩＤコードやパスワードを入力しなければ、映像を表示再生できないように構成されている。記録した使用者と再生する使用者が異なる場合に、個人ＩＤコードやパスワード等を双方で開示し、操作キーやリモコン等で入力することにより本人以外も他人の撮影して画像を再生することができきる。この場合、個人ＩＤコードやパスワードを公開しなければ、第三者が表示再生することはできない。
【００２２】
次に、声紋を用いて個人情報を個人情報記憶部に記憶し、判別する手段について説明する。
図３において、ナレーションマイク３３に音声検出部を設けることによって、音声の波形パターンをそのものを個人情報記憶部１０に記憶するか、又は音声の波形パターンの特徴部分を個人情報記憶部１０に記憶する。使用者が自分か記録した画像を再生する場合には、ナレーションマイク３３に向かって声を出し、このナレーションマイク３３に設けられた声紋検出部で音声の波形パターンを検出し、個人情報記憶部１０に記憶されている音声の波形パターンと個人情報判別部９で比較することによって、記憶されている声紋の内のどの声紋かを判別する。これによって、本人の撮影した画像のみを再生することができる。
【００２３】
次に、指紋を用いて個人情報を個人情報記憶部に記憶し、判別する手段について説明する。
図５（ａ）は映像記録再生装置の斜視図、図５（ｂ）はズームレバー部の拡大図、図５（ｃ）は記録スタートストップボタンの正面図である。図に示すように、映像記録再生装置のズームレバー３１の内部、又は記録スタートストップボタンの内部に指紋検出部を設ける。又は図４に示したリモコンに指紋検出部を設ける。
指紋を検出するには、指紋にある特徴的な情報を用いて判別したり、指紋を画像として取り込み、画像同士を重ねて判別するやり方がある。リモコンの指紋判別部４２に予め決めておいたいずれかの指を接触させると、指紋が指紋検出部４２で検出され、映像記録再生装置に送信される。
【００２４】
図５（ｂ）に示すように、ズームレバー３１に指紋検出部を設ける場合には、ズームレバー３１部分に人差し指をあてがう。又、記録スタートストップボタン３２に指紋検出部を設ける場合には、記録スタートストップボタン３２に親指を接触させる。
このようにして指紋検出部で検出された指紋情報は、その指紋情報が個人情報記憶部１０に記録されていない場合には、個人記憶部１０に記憶される。記憶された指紋情報がある場合には、個人情報判別部９で判別され、その指紋に対応する情報がコントロール部４に入力され、その指紋の持ち主である本人の記録した画像を再生することができる。
【００２５】
次に、瞳孔のアイリスの形状を用いて個人情報を個人情報記憶部に記憶し、判別する手段について説明する。
図６は映像記録再生装置のビュウーファインダの内部構造を示す概略図である。図において、６１はアイリス検出部であり、瞳孔のアイリスの形状を検出する。人間の目のアイリスは半透明ガラス６２を通してアイリス検出部６１で検出される。また、撮影対象はファインダ表示部６３に表示されるため、ファインダ表示部６３に表示された映像を半透明ガラス６２に反射させて見ることができる。アイリス検出部６１で検出されたアイリスの形状は個人情報検出部１０に記憶される。個人情報検出部１０にアイリス情報が記憶されている場合には、検出されたアイリス情報と記憶されているアイリス情報が判別され、判別されたアイリス情報に相当する情報がコントロール部４に入力される。
このように、本実施例においては、その装置内部又はリモコンにに各使用者の個人固有の情報を認識する機能を設けたので、その装置を記録した使用者が使用しなければ表示再生しないようにすることができる。
【００２６】
本実施例において、使用者の手指の指紋を認識し個人を判別する指紋認識機能を使用者が手で支持して使用するカメラ一体型映像記録再生装置やリモートコントロールユニット等に設けている。また、使用者の声のアクセントや癖の特徴を認識し個人を判別する声紋認識機能はナレーションマイク３３に設け、網膜の毛細血管の模様や瞳孔の周囲のアイリス（虹彩）の模様を認識し個人を判別する瞳孔認識機能をカメラ一体型映像記録再生装置等のビューファインダー部に設けている。このように本実施例では、映像記録再生装置を手で普通に保持した状態で個人情報を記憶させたり、判別したりすることができるため、取り個人情報の入力を簡単に行うことができる。
【００２７】
なお、個人情報を判別する方法については、「指紋認証機能を搭載した携帯情報端末」の記事がインターネットのホームページ（ｈｔｔｐ：／／ｗｗｗ．ｐｃ９８．ｎｅｃ．ｃｏ．ｊｐ／Ｐｒｏｄｕｃｔ／ｍｇ／７３０＿ｏｌ．ｈｔｍ及びｈｔｔｐ：／／ｗｗｗ．ｓｗ．ｎｅｃ．ｃｏ．ｊｐ／ｐｉｄ／ａｂｏｕｔ＿ｐｉｄ．ｈｔｍｌ）に記載されている。又、「声紋認証によるパーソナルコンピュータのログインシステム」に関する記事がインターネットのホームページ（ｈｔｔｐ：／／ｗｗｗ．ｚｄｎｅｔ．ｃｏ．ｊｐ／ｍａｃｗｉｒｅ／９９１０／２７／ｒ＿ｏｓ９ｌａｂ＿６．ｈｔｍｌ）に記載されている。更に、「瞳の瞳孔周辺のアイリス（虹彩）の形状で個人認証を行うＡＴＭ機」の記事がインターネットのホームページ（ｈｔｔｐ：／／ｗｗｗ．ｔａｋｅｆｕｊｉ．ｃｏ．ｊｐ／ｔａｋｅｆｕｊｉ／ｈｔｍｌ／ｊｔ１１３１５．ｈｔｍｌ）に記載されている。
【００２８】
本発明によれば、映像記録再生装置の一つの記録媒体に、複数の使用者が映像情報を記録する場合、記録する映像情報に各使用者の個人情報を関連付けして記録することにより、その記録された映像情報を表示再生する際に、その記録された映像情報の中から自分が記録した映像情報の内容のみを選択して表示再生できるようになり、自分以外の使用者が自分の記録内容を表示・改竄・消去等を行うことが不可能になる。
【００２９】
【発明の効果】
本発明によれば、記録する映像情報に各使用者の個人情報を関連付けして記録することにより、自分が記録した映像情報を他の人が再生することを防止することができる。
【図面の簡単な説明】
【図１】本発明による映像記録再生装置の一実施例を示すブロック図である。
【図２】従来の映像記録再生装置のブロック図である。
【図３】本発明による映像記録再生装置の一実施例を示す斜視図である。
【図４】本発明による映像記録再生装置に使用されるリモコンの正面図である。
【図５】映像記録再生装置の斜視図、ズームレバー部の拡大図、記録スタートストップボタンの正面図である。
【図６】映像記録再生装置のビュウーファインダの内部構造を示す概略図である。
【符号の説明】
１…映像入力部、２…映像処理部、３…映像記録部、４…コントロール部、５…映像記録媒体、６…映像再生部、７…映像表示部、８…個人情報入力部、９…個人情報判別部、１０…個人情報記憶部、１１…操作キー、２１…映像入力部、２２…映像処理部、２３…映像記録部、２４…コントロール部、２５…映像記録媒体、２６…映像再生部、２７…映像表示部、２８…操作キ、３１…ズームレバー、３２…記録スタートストップボタン、３３…ナレーションボタン、３４…ビューファインダ、４１…数字キー、４２…指紋検出部、６１…アイリス検出部ファインダ表示部。
【図１】
0004527845.tif 000002
【図２】
0004527845.tif 000003
【図３】
0004527845.tif 000004
【図４】
0004527845.tif 000005
【図５】
0004527845.tif 000006
【図６】
0004527845.tif 000007